(57)【特許請求の範囲】
【請求項１】
OFDM（Orthogonal Frequency Division Multiplexing）信号を受信する受信部と、
前記OFDM信号に含まれる前記OFDM信号に関する送信パラメータであって、所定の規格におけるデータを送信する単位である第１のフレームとは異なる構造からなる第２のフレームの有無を示す第２のパラメータを少なくとも含む前記送信パラメータを取得する取得部と、
取得した前記送信パラメータに応じて、前記OFDM信号の復調方式としての等化方式を選択する選択部と
を備え、
前記等化方式は、パイロット信号間を時間補間して推定されるチャネル推定値を周波数方向補間する補間型方式及び周波数方向のみで補間する周波数方向補間型方式を含み、
前記選択部は、前記第２のパラメータが前記第２のフレームを有する旨を示している場合、前記周波数方向補間型方式を選択する
受信装置。
【請求項２】
前記送信パラメータには、通信方式がSISO（Single Input Single Output）若しくはMISO（Multiple Input Single Output）であることを示す第１のパラメータ、パイロット信号の配置を示す第３のパラメータ又は前記第１のフレームのフレーム長を示す第４のパラメータがさらに含まれており、
前記選択部は、各パラメータ又はそれらのパラメータの組み合わせに応じて、前記等化方式を選択する
請求項１に記載の受信装置。
【請求項３】
受信装置の受信方法において、
前記受信装置が、
OFDM信号を受信し、
前記OFDM信号に含まれる前記OFDM信号に関する送信パラメータであって、所定の規格におけるデータを送信する単位である第１のフレームとは異なる構造からなる第２のフレームの有無を示す第２のパラメータを少なくとも含む前記送信パラメータを取得し、
取得した前記送信パラメータに応じて、前記OFDM信号の復調方式としての等化方式を選択する
ステップを含み、
前記等化方式は、パイロット信号間を時間補間して推定されるチャネル推定値を周波数方向補間する補間型方式及び周波数方向のみで補間する周波数方向補間型方式を含み、
前記第２のパラメータが前記第２のフレームを有する旨を示している場合、前記周波数方向補間型方式を選択するステップを含む
受信方法。
【請求項４】
コンピュータを、
OFDM信号を受信する受信部と、
前記OFDM信号に含まれる前記OFDM信号に関する送信パラメータであって、所定の規格におけるデータを送信する単位である第１のフレームとは異なる構造からなる第２のフレームの有無を示す第２のパラメータを少なくとも含む前記送信パラメータを取得する取得部と、
取得した前記送信パラメータに応じて、前記OFDM信号の復調方式としての等化方式を選択する選択部と
を備え、
前記等化方式は、パイロット信号間を時間補間して推定されるチャネル推定値を周波数方向補間する補間型方式及び周波数方向のみで補間する周波数方向補間型方式を含み、
前記選択部は、前記第２のパラメータが前記第２のフレームを有する旨を示している場合、前記周波数方向補間型方式を選択する
受信装置として機能させるためのプログラム。
【請求項５】
OFDM信号を受信する受信部と、
前記OFDM信号に含まれる前記OFDM信号に関する送信パラメータであって、所定の規格におけるデータを送信する単位である第１のフレームとは異なる構造からなる第２のフレームの有無を示す第２のパラメータ、及び前記第１のフレームのフレーム長を示す第４のパラメータを少なくとも含む前記送信パラメータを取得する取得部と、
取得した前記送信パラメータに応じて、前記OFDM信号の復調方式としてのノイズ推定方式を選択する選択部と
を備え、
前記ノイズ推定方式は、時間的に隣接する２つのパイロット信号の差分からキャリアごとのノイズ量を推定するパイロット推定方式及びあらかじめ定められた固定値を用いる固定値方式を含み、
前記選択部は、前記第２のパラメータが前記第２のフレームを有する旨を示し、かつ、前記第４のパラメータの示すフレーム長が所定の閾値以下となる場合、前記固定値方式を選択する
受信装置。
【請求項６】
前記送信パラメータには、通信方式がSISO若しくはMISOであることを示す第１のパラメータ、又はパイロット信号の配置を示す第３のパラメータがさらに含まれており、
前記選択部は、各パラメータ又はそれらのパラメータの組み合わせに応じて、前記ノイズ推定方式を選択する
請求項５に記載の受信装置。
【請求項７】
受信装置の受信方法において、
前記受信装置が、
OFDM信号を受信し、
前記OFDM信号に含まれる前記OFDM信号に関する送信パラメータであって、所定の規格におけるデータを送信する単位である第１のフレームとは異なる構造からなる第２のフレームの有無を示す第２のパラメータ、及び前記第１のフレームのフレーム長を示す第４のパラメータを少なくとも含む前記送信パラメータを取得し、
取得した前記送信パラメータに応じて、前記OFDM信号の復調方式としてのノイズ推定方式を選択する
ステップを含み、
前記ノイズ推定方式は、時間的に隣接する２つのパイロット信号の差分からキャリアごとのノイズ量を推定するパイロット推定方式及びあらかじめ定められた固定値を用いる固定値方式を含み、
前記第２のパラメータが前記第２のフレームを有する旨を示し、かつ、前記第４のパラメータの示すフレーム長が所定の閾値以下となる場合、前記固定値方式を選択するステップを含む
受信方法。
【請求項８】
コンピュータを、
OFDM信号を受信する受信部と、
前記OFDM信号に含まれる前記OFDM信号に関する送信パラメータであって、所定の規格におけるデータを送信する単位である第１のフレームとは異なる構造からなる第２のフレームの有無を示す第２のパラメータ、及び前記第１のフレームのフレーム長を示す第４のパラメータを少なくとも含む前記送信パラメータを取得する取得部と、
取得した前記送信パラメータに応じて、前記OFDM信号の復調方式としてのノイズ推定方式を選択する選択部と
を備え、
前記ノイズ推定方式は、時間的に隣接する２つのパイロット信号の差分からキャリアごとのノイズ量を推定するパイロット推定方式及びあらかじめ定められた固定値を用いる固定値方式を含み、
前記選択部は、前記第２のパラメータが前記第２のフレームを有する旨を示し、かつ、前記第４のパラメータの示すフレーム長が所定の閾値以下となる場合、前記固定値方式を選択する
受信装置として機能させるためのプログラム。
【発明の詳細な説明】
【技術分野】
【０００１】
本技術は、受信装置、受信方法、及びプログラムに関し、特に、適切な方式で復調処理を行うことができるようにした受信装置、受信方法、及びプログラムに関する。
【背景技術】
【０００２】
近年、デジタル信号を伝送する方式として、直交周波数分割多重（OFDM：Orthogonal Frequency Division Multiplexing）方式と呼ばれる変調方式が用いられている。このOFDM方式は、伝送帯域内に多数の直交するサブキャリアを用意し、それぞれのサブキャリアの振幅及び位相にデータを割り当て、PSK（Phase Shift Keying）やQAM（Quadrature Amplitude Modulation）によりデジタル変調する方式である。
【０００３】
OFDM方式は、マルチパスの妨害の影響を強く受ける地上波デジタル放送に適用されることが多い。このようなOFDM方式を採用した地上波デジタル放送としては、例えば、DVB-T（Digital Video Broadcasting-Terrestrial）やISDB-T（Integrated Services Digital Broadcasting-Terrestrial）等の規格がある。
【０００４】
また、ETSI(European Telecommunication Standard Institute：欧州電気通信標準化機構)により、次世代の地上デジタル放送の規格としてDVB(Digital Video Broadcasting)-T.2が制定されている（例えば、非特許文献１参照）。
【０００５】
ところで、DVB-T2規格に対応した受信機では、受信したOFDM信号の復調を行う際に等化処理やノイズ推定処理等の復調処理が行われる。例えば、等化処理の方式としては、補間型方式、周波数方向補間型方式その他の等化方式がある。
【０００６】
図１に示すように、従来の受信機では、補間型方式、周波数方向補間型方式、又はその他の等化方式での等化処理が行われ、その受信状態が、受信状態判定器１１によって判定される。そして、セレクタ１２によって、受信状態判定器１１による判定結果に応じた等化方式が選択されることになる。
【先行技術文献】
【非特許文献】
【０００７】
【非特許文献１】DVB BlueBook A133，Frame structure channel coding and modulation for a second generation digital terrestrial television broadcasting system（DVB-T2）、DVBのホームページ、［平成２４年５月１５日検索］、インターネット＜URL：http://www.dvb.org/technology/standards/＞
【発明の概要】
【発明が解決しようとする課題】
【０００８】
前述したように、従来の受信機では、異なる復調方式での復調処理による受信状態が監視され、その監視結果に応じた復調方式が選択される。しかしながら、受信状態判定器１１の判定遅延や誤判定により適切な復調方式が選択されなかった場合には、復調の性能が劣化することになる。
【０００９】
本技術はこのような状況に鑑みてなされたものであり、適切な復調方式で復調処理を行うことができるようにするものである。
【課題を解決するための手段】
【００１０】
本技術の一側面の受信装置は、OFDM（Orthogonal Frequency Division Multiplexing）信号を受信する受信部と、前記OFDM信号に含まれる前記OFDM信号に関する送信パラメータであって、所定の規格におけるデータを送信する単位である第１のフレームとは異なる構造からなる第２のフレームの有無を示す第２のパラメータを少なくとも含む前記送信パラメータを取得する取得部と、取得した前記送信パラメータに応じて、前記OFDM信号の復調方式としての等化方式を選択する選択部とを備え、前記等化方式は、パイロット信号間を時間補間して推定されるチャネル推定値を周波数方向補間する補間型方式及び周波数方向のみで補間する周波数方向補間型方式を含み、前記選択部は、前記第２のパラメータが前記第２のフレームを有する旨を示している場合、前記周波数方向補間型方式を選択する受信装置である。
【００１１】
前記送信パラメータには、通信方式がSISO（Single Input Single Output）若しくはMISO（Multiple Input Single Output）であることを示す第１のパラメータ、パイロット信号の配置を示す第３のパラメータ又は前記第１のフレームのフレーム長を示す第４のパラメータがさらに含まれており、前記選択部は、各パラメータ又はそれらのパラメータの組み合わせに応じて、前記等化方式を選択する。
【００２０】
受信装置は、独立した装置であってもよいし、１つの装置を構成している内部ブロックであってもよい。
【００２１】
本技術の一側面の受信方法及びプログラムは、本技術の一側面の受信装置に対応する受信方法及びプログラムである。
【００２２】
本技術の一側面の受信装置、受信方法、及びプログラムにおいては、OFDM信号が受信され、前記OFDM信号に含まれる前記OFDM信号に関する送信パラメータであって、所定の規格におけるデータを送信する単位である第１のフレームとは異なる構造からなる第２のフレームの有無を示す第２のパラメータを少なくとも含む前記送信パラメータが取得され、取得された前記送信パラメータに応じて、前記OFDM信号の復調方式としての等化方式が選択される。また、前記等化方式は、パイロット信号間を時間補間して推定されるチャネル推定値を周波数方向補間する補間型方式及び周波数方向のみで補間する周波数方向補間型方式を含み、前記第２のパラメータが前記第２のフレームを有する旨を示している場合、前記周波数方向補間型方式が選択される。
本技術の一側面の受信装置は、OFDM信号を受信する受信部と、前記OFDM信号に含まれる前記OFDM信号に関する送信パラメータであって、所定の規格におけるデータを送信する単位である第１のフレームとは異なる構造からなる第２のフレームの有無を示す第２のパラメータ、及び前記第１のフレームのフレーム長を示す第４のパラメータを少なくとも含む前記送信パラメータを取得する取得部と、取得した前記送信パラメータに応じて、前記OFDM信号の復調方式としてのノイズ推定方式を選択する選択部とを備え、前記ノイズ推定方式は、時間的に隣接する２つのパイロット信号の差分からキャリアごとのノイズ量を推定するパイロット推定方式及びあらかじめ定められた固定値を用いる固定値方式を含み、前記選択部は、前記第２のパラメータが前記第２のフレームを有する旨を示し、かつ、前記第４のパラメータの示すフレーム長が所定の閾値以下となる場合、前記固定値方式を選択する受信装置である。
前記送信パラメータには、通信方式がSISO若しくはMISOであることを示す第１のパラメータ、又はパイロット信号の配置を示す第３のパラメータがさらに含まれており、前記選択部は、各パラメータ又はそれらのパラメータの組み合わせに応じて、前記ノイズ推定方式を選択する。
受信装置は、独立した装置であってもよいし、１つの装置を構成している内部ブロックであってもよい。
本技術の一側面の受信方法及びプログラムは、本技術の一側面の受信装置に対応する受信方法及びプログラムである。
本技術の一側面の受信装置、受信方法、及びプログラムにおいては、OFDM信号が受信され、前記OFDM信号に含まれる前記OFDM信号に関する送信パラメータであって、所定の規格におけるデータを送信する単位である第１のフレームとは異なる構造からなる第２のフレームの有無を示す第２のパラメータ、及び前記第１のフレームのフレーム長を示す第４のパラメータを少なくとも含む前記送信パラメータが取得され、取得された前記送信パラメータに応じて、前記OFDM信号の復調方式としてのノイズ推定方式が選択され、前記ノイズ推定方式は、時間的に隣接する２つのパイロット信号の差分からキャリアごとのノイズ量を推定するパイロット推定方式及びあらかじめ定められた固定値を用いる固定値方式を含み、前記第２のパラメータが前記第２のフレームを有する旨を示し、かつ、前記第４のパラメータの示すフレーム長が所定の閾値以下となる場合、前記固定値方式が選択される。
【発明の効果】
【００２３】
本技術の一側面によれば、適切な復調方式で復調処理を行うことができる。
【図面の簡単な説明】
【００２４】
【図１】従来の復調方式の選択について説明する図である。
【図２】本技術を適用した受信装置の一実施の形態の構成を示す図である。
【図３】本技術の等化方式の選択方法について説明する図である。
【図４】送信パラメータの例を示す図である。
【図５】補間型処理の具体例を示す図である。
【図６】周波数方向補間型処理の具体例を示す図である。
【図７】等化方式選択処理を説明するフローチャートである。
【図８】本技術のノイズ推定方式の選択方法について説明する図である。
【図９】ノイズ推定処理の具体例を示す図である。
【図１０】ノイズ推定方式選択処理を説明するフローチャートである。
【図１１】本技術のシンボル位置に応じた等化方式の選択方法について説明する図である。
【図１２】シンボル位置に応じた等化処理の具体例を示す図である。
【図１３】復調方式の例を示す図である。
【図１４】等化方式の選択方法の他の例について説明する図である。
【図１５】コンピュータの構成例を示す図である。
【発明を実施するための形態】
【００２５】
以下、図面を参照しながら本技術の実施の形態について説明する。
【００２６】
［受信装置の構成］
図２は、本技術を適用した受信装置の一実施の形態の構成を示す図である。
【００２７】
受信装置１００は、DVB-T2規格に対応した受信機である。受信装置１００は、アンテナ１０１、チューナ１０２、A/D変換部１０３、直交復調部１０４、FFT演算部１０５、等化部１０６、デコーダ１０７及び出力部１０８から構成される。
【００２８】
アンテナ１０１は、放送局等に設置された送信機から伝送路を介して伝送されてくるOFDM信号を受信し、チューナ１０２に供給する。チューナ１０２は、アンテナ１０１により受信されたOFDM信号に周波数変換などの処理を施してA/D変換部１０３に供給する。
【００２９】
A/D変換部１０３は、チューナ１０２から供給されるOFDM信号の利得を増幅又は減衰させるとともに、OFDM信号にA/D（Analog/Digital）変換処理を施してOFDM信号をアナログ信号からデジタル信号に変換する。A/D変換部１０３は、デジタル信号に変換されたOFDM信号を直交復調部１０４に供給する。
【００３０】
直交復調部１０４は、A/D変換部１０３から供給されたOFDM信号を、所定の周波数の搬送波信号により直交復調し、これにより得られたベースバンド信号であるOFDM信号をFFT演算部１０５に供給する。
【００３１】
FFT演算部１０５は、直交復調部１０４から供給されたOFDM信号に対して高速フーリエ変換（FFT：Fast Fourier Transform）を施し、等化部１０６に供給する。
【００３２】
等化部１０６は、FFT演算部１０５から供給されたOFDM信号のひずみを補正する。具体的には、等化部１０６は、FFT演算部１０５からのOFDM信号が本来受信されるべき信号、すなわち、送信機から送信された時点におけるOFDM信号に近い状態となるように、伝送路の影響によるひずみを補償することで、OFDM信号を等化する。
【００３３】
等化部１０６によって等化されたOFDM信号は、デマッピング処理が施されることでデータとして復元され、復調されたデータとして、デコーダ１０７に供給される。
【００３４】
デコーダ１０７は、等化部１０６から供給される符号化データを、例えばMPEG（Moving Picture Experts Group）復号し、その結果得られる画像や音声のデータを、出力部１０８に供給する。
【００３５】
出力部１０８は、デコーダ１０７から供給される画像や音声のデータを出力する。
【００３６】
受信装置１００は、以上のように構成される。
【００３７】
［等化方式の選択方法］
ところで、等化部１０６にて行われる等化処理の等化方式としては、補間型方式、周波数方向補間型方式その他の等化方式がある。等化部１０６は、それらの等化方式のいずれかを選択し、選択された等化方式に応じた等化処理を行う。
【００３８】
具体的には、図３に示すように、等化部１０６においては、パラメータ取得部１１１によって送信パラメータが取得され、パラメータ判定器１１２によって送信パラメータに基づき、複数の等化方式の中から適切な等化方式が判定される。そして、セレクタ１１３は、パラメータ判定器１１２の判定結果に従い、複数の等化方式の中から、適切な等化方式を選択する。
【００３９】
ここで、図４を参照して、送信パラメータの詳細について説明する。
【００４０】
DVB-T2規格では、T2フレーム(T2 Frame)と称されるフレームが定義されており、データはT2フレーム単位で送信される。また、T2フレームには、データのほか、OFDM信号の復調等の処理に必要な情報も含まれており、パラメータ取得部１１１は、そこから送信パラメータを取得する。
【００４１】
送信パラメータには、例えば、次のパラメータを含む。すなわち、送信パラメータには、通信方式がSISO又はMISOであることを示す第１のパラメータ、FEFの有無を示す第２のパラメータ、既知の信号であるパイロット信号の配置パターンを示す第３のパラメータ、T2フレームのフレーム長を示す第４のパラメータその他のOFDM信号に関するパラメータが含まれる。
【００４２】
なお、SISO（Single Input Single Output）とは、アンテナを１対１で用いる通信方式である。一方、MISO（Multiple Input Single Output）とは、複数のアンテナによって送信された信号を単一のアンテナで受信する通信方式である。
【００４３】
また、FEF（Future Extension Frame）とは、T2フレームと異なる構造を有するフレームである。すなわち、DVB-T2規格においては、T2フレームの信号と、FEFの信号が多重化されて伝送される。
【００４４】
以上の送信パラメータ（図４）がパラメータ取得部１１１により取得されると、パラメータ判定器１１２は、当該送信パラメータに応じて、等化方式として、補間型方式、周波数方向補間型方式、又はその他の等化方式のいずれかを選択することになる。ここで、図５及び図６を参照して、等化部１０６で行われる等化処理の方式のうち、補間型方式と周波数方向補間型方式の具体的な処理内容について説明する。
【００４５】
（補間型処理）
まず、補間型方式による等化処理（以下、補間型処理という）について説明する。図５は、第１のパラメータとして「SISO」、第２のパラメータとして「FEF有」、第３のパラメータとして「PP8」、第４のパラメータとして「12シンボル」が指定されている場合の補間型処理の例を示している。
【００４６】
図５においては、横方向は時間を示しており、縦方向は周波数を示している。また、１つの円はOFDM信号を構成する１つのシンボルを表しており、複数のシンボルが複数集められてT2フレームが形成される。
【００４７】
OFDM方式では、送信側で、所定の振幅及び所定の位相のパイロット信号が、シンボル内に時間方向や周波数方向に離散的に挿入され、受信側では、パイロット信号の振幅及び位相に基づいて伝送路（チャネル）の特性が求められ、当該チャネルの特性によりOFDM信号が等化されるようにしている。このように、チャネルの特性を推定するために用いられるパイロット信号のことをSP（Scattered Pilot）信号という。
【００４８】
また、P2パイロット信号は、P2のシンボルに含まれるパイロット信号である。ここで、P2とは、OFDM信号の復調等の処理に必要な情報が含まれるプリアンブル（Preamble）信号である。また、エッジパイロット信号は、周波数方向の両端に配置されるパイロット信号である。
【００４９】
補間型処理では、まず、各パイロット信号の間を時間補間することで、チャネル推定が行われる（Ｓ１１）。その後、推定されたチャネル推定値が周波数方向に補間される（Ｓ１２）。ここで、OFDM信号にはFEFの信号が多重化されているため、T2フレームの間に、FEFの区間が存在することになる。図５の例では、T2フレームとFEFの境界付近に配置される、T2フレームの終端のシンボルにSP信号が存在しないため、時間補間によるチャネル推定が行えないことになる（Ｓ１３）。
【００５０】
すなわち、補間型処理を行う場合、T2フレームの終端のシンボルにSP信号が存在しないと、時間補間によるチャネル推定が行えないため、適切な等化処理が行われないことになる。よって、この図５の例の場合、等化方式として、補間型方式を選択するのは適切ではないと言える。
【００５１】
（周波数方向補間型処理）
次に、周波数方向補間型方式による等化処理(以下、周波数方向補間型処理という)について説明する。図６は、第１のパラメータとして「SISO」、第２のパラメータとして「FEF有」、第３のパラメータとして「PP8」、第４のパラメータとして「12シンボル」が指定されている場合の周波数方向補間型処理の例を示している。
【００５２】
図６においては、図５と同様に、横方向は時間、縦方向は周波数を示しており、複数のシンボルが複数集められて形成されるT2フレーム内に、SP信号が離散的に挿入されている。ただし、図６における、パイロット信号の配置は、図５と同様である。
【００５３】
周波数方向補間型処理では、時間補間によるチャネル推定は行われず、周波数方向のみで補間処理が行われる（Ｓ２１）。そのため、T2フレームの終端のシンボルにSP信号が存在しない場合に、T2フレームの終端であってもチャネル推定が可能となる（Ｓ２２）。
【００５４】
すなわち、周波数方向補間型処理では、T2フレームの終端のシンボルにSP信号が存在しない場合であっても、周波数方向のみで補間処理を行うことで、適切な等化処理が行われることになる。よって、この図６の例の場合、等化方式として、周波数方向補間型方式を選択するのは適切であると言える。
【００５５】
以上のように、図５及び図６に示したパイロット信号の配置では、等化方式として、補間型方式ではなく、周波数方向補間型方式を選択するのが適切であるが、これは、送信パラメータを用いて判定することができる。すなわち、この例の場合、第１のパラメータ乃至第４のパラメータとして、「SISO」、「FEF有」、「PP8」、「12シンボル」がそれぞれ指定されているが、例えば、パラメータ判定器１１２は、第２のパラメータとして「FEF有」が指定され、FEFの区間が存在する場合には、等化方式として、周波数方向補間型方式が選択されるようにする。
【００５６】
このように、送信パラメータを用いて等化方式を選択することで、図５及び図６に示したパイロット信号の配置であって、T2フレームの終端のシンボルにSP信号が存在しない場合でも、周波数方向補間型方式が選択されるので、T2フレームの終端であってもチャネル推定が可能となる。また、送信パラメータを用いて等化方式を選択する方法であると、各等化方式での等化処理による受信状態を監視することなく、送信パラメータのみによって等化方式を判定できるので、判定遅延や誤判定がなされることなく、適切な等化方式で等化処理を行うことができる。
【００５７】
（等化方式選択処理）
次に、図７のフローチャートを参照して、等化方式選択処理について説明する。
【００５８】
ステップＳ５１において、パラメータ取得部１１１は、送信パラメータを取得する。ただし、この送信パラメータはT2フレームから取得されるが、所定のタイミングで取得された送信パラメータを保持しておき、それを利用するようにしてもよい。
【００５９】
ステップＳ５２において、パラメータ判定器１１２は、パラメータ取得部１１１により取得された送信パラメータに基づいて、パラメータが補間型方式の要件を満たすか否かを判定する。例えば、パラメータ判定器１１２は、第２のパラメータとして「FEF無」が指定されている場合、補間型方式の要件を満たしていると判定する。
【００６０】
ステップＳ５２において、補間型方式の要件を満たすと判定された場合、処理は、ステップＳ５３に進められる。ステップＳ５３において、セレクタ１１３は、等化方式として補間型方式を選択する。これにより、等化部１０６では、補間型処理が行われる。
【００６１】
また、ステップＳ５２において、補間型方式の要件を満たさないと判定された場合、処理は、ステップＳ５４に進められる。
【００６２】
ステップＳ５４において、パラメータ判定器１１２は、パラメータ取得部１１１により取得された送信パラメータに基づいて、パラメータが周波数方向補間型方式の要件を満たすか否かを判定する。例えば、パラメータ判定器１１２は、第２のパラメータとして「FEF有」が指定されている場合、周波数方向補間型方式の要件を満たしていると判定する。
【００６３】
ステップＳ５４において、周波数方向補間型方式の要件を満たすと判定された場合、処理は、ステップＳ５５に進められる。ステップＳ５５において、セレクタ１１３は、等化方式として周波数方向補間型方式を選択する。これにより、等化部１０６では、周波数方向補間型処理が行われる。
【００６４】
ステップＳ５４において、周波数方向補間型の要件を満たしていないと判定された場合、処理は、ステップＳ５６に進められる。ステップＳ５６において、セレクタ１１３は、等化方式としてその他の方式を選択する。これにより、等化部１０６では、その他の方式に応じた等化処理が行われる。
【００６５】
以上のように、パラメータ取得部１１１乃至セレクタ１１３によって、送信パラメータに応じた等化方式が選択されることで、等化部１０６では、選択された等化方式に従った等化処理が行われる。
【００６６】
なお、図７の等化方式選択処理において、前述した補間型方式の要件及び周波数方向補間型方式の要件は一例であり、送信パラメータに含まれる各パラメータ又はそれらのパラメータの組み合わせを要件とすることができる。また、その他の方式が選択されるための要件を指定することも可能である。
【００６７】
以上、等化方式選択処理について説明した。
【００６８】
［ノイズ推定方式の選択方法］
前述した説明では、送信パラメータを用いて等化方式を選択する例を説明したが、等化方式以外の復調方式として、例えば、ノイズ推定方式を選択することもできる。そこで、次に、ノイズ推定方式の選択方法について説明する。
【００６９】
ノイズ推定処理の方式としては、パイロット推定方式、固定値方式その他のノイズ推定方式がある。ここで、パイロット推定方式は、パイロット信号を用いてキャリアごとのノイズ量を推定する方式である。また、固定値方式は、あらかじめ定められた固定値を用いる方式である。
【００７０】
図８に示すように、パラメータ取得部１１１によって送信パラメータが取得され、パラメータ判定器１１２によって送信パラメータに基づき、複数のノイズ推定方式の中から、適切なノイズ推定方式が選択される。そして、セレクタ１１３は、パラメータ判定器１１２の判定結果に従い、複数のノイズ推定方式の中から、適切なノイズ推定方式を選択する。
【００７１】
（パイロット推定処理）
図９は、第１のパラメータとして「SISO」、第２のパラメータとして「FEF有」、第３のパラメータとして「PP8」、第４のパラメータとして「12シンボル」が指定された場合のパイロット推定方式によるノイズ推定処理（以下、パイロット推定処理という）の例を示している。
【００７２】
図９においては、横方向は時間、縦方向は周波数を示しており、複数のシンボルが複数集められて形成されるT2フレーム内に、SP信号が離散的に挿入されている。
【００７３】
パイロット推定処理では、時間的に隣接する２つのSP信号の差分からキャリアごとのノイズ量が推定される（Ｓ１１１）。そのため、パイロット推定処理においては、T2フレーム内に１つしかSP信号がこないキャリアがあると、ノイズ量を推定することが不能となる（Ｓ１１２）。
【００７４】
すなわち、パイロット推定処理を行う場合、T2フレーム内に１つしかSP信号がこないキャリアがあるとノイズ量を推定することが不能となるため、適切なノイズ推定処理が行われないことになる。よって、この図９の例の場合、ノイズ推定方式として、パイロット推定方式を選択するのは適切ではないと言える。この場合には、ノイズ推定方式として固定値方式を選択して、あらかじめ定められた固定値を用いる処理（以下、固定値処理という）を行うのが適切である。
【００７５】
このように、図９に示したパイロット信号の配置では、ノイズ推定方式として、パイロット推定方式ではなく、固定値方式を選択するのが適切であるが、これは、送信パラメータを用いて判定することができる。すなわち、この例の場合、「SISO」、「FEF有」、「PP8」、「12シンボル」がそれぞれ指定されているが、パラメータ判定器１１２は、当該送信パラメータに応じて、ノイズ推定方式として、固定値方式が選択されるようにする。
【００７６】
具体的には、例えば、第２パラメータとして「FEF有」が指定されてFEFの区間が存在し、かつ、第４のパラメータとして指定された「12シンボル」が所定の閾値以下となる場合には、T2フレーム内に１つしかSP信号がこないキャリアが存在する可能性が高いので、パラメータ判定器１１２は、ノイズ推定方式として、固定値方式を選択する。
【００７７】
以上のように、図９に示したパイロット信号の配置であって、T2フレーム内に１つしかSP信号がこないキャリアが存在する場合でも、固定値方式が選択されて、ノイズ推定処理が行われることになる。また、送信パラメータを用いてノイズ推定方式を選択する方法であると、各ノイズ推定方式でのノイズ推定処理による受信状態を監視することなく、送信パラメータのみによって、ノイズ推定方式を判定できるので、判定遅延や過誤判定がなされることなく、適切なノイズ推定方式でノイズ推定処理を行うことができる。
【００７８】
（ノイズ推定方式選択処理）
次に、図１０のフローチャートを参照して、ノイズ推定方式選択処理について説明する。
【００７９】
ステップＳ１５１においては、図７のステップＳ５１と同様に、パラメータ取得部１１１によって、送信パラメータが取得される。
【００８０】
ステップＳ１５２において、パラメータ判定器１１２は、パラメータ取得部１１１により取得された送信パラメータに基づいて、パラメータがパイロット推定方式の要件を満たすか否かを判定する。例えば、パラメータ判定器１１２は、第２のパラメータとして「FEF無」が指定されているか、又は第４のパラメータとして指定されたT2フレームのフレーム長が所定の閾値を超える場合、パイロット推定方式の要件を満たしていると判定する。
【００８１】
ステップＳ１５２において、パイロット推定方式の要件を満たすと判定された場合、処理は、ステップＳ１５３に進められる。ステップＳ１５３において、セレクタ１１３は、ノイズ推定方式としてパイロット推定方式を選択する。これにより、パイロット推定処理が行われる。
【００８２】
また、ステップＳ１５２において、パイロット推定方式の要件を満たさないと判定された場合、処理は、ステップＳ１５４に進められる。
【００８３】
ステップＳ１５４において、パラメータ判定器１１２は、パラメータ取得部１１１により取得された送信パラメータに基づいて、パラメータが固定値方式の要件を満たすか否かを判定する。例えば、パラメータ判定器１１２は、第２のパラメータとして「FEF有」が指定され、かつ、第４のパラメータとして指定されたT2フレームのフレーム長が所定の閾値以下となる場合、固定値方式の要件を満たしていると判定する。
【００８４】
ステップＳ１５４において、固定値方式の要件を満たすと判定された場合、処理は、ステップＳ１５５に進められる。ステップＳ１５５において、セレクタ１１３は、ノイズ推定方式として固定値方式を選択する。これにより、固定値処理が行われる。
【００８５】
ステップＳ１５４において、固定値方式の要件を満たしていないと判定された場合、処理は、ステップＳ１５６に進められる。ステップＳ１５６において、セレクタ１１３は、ノイズ推定方式としてその他の方式を選択する。これにより、その他の方式に応じたノイズ推定処理が行われる。
【００８６】
以上のように、パラメータ取得部１１１乃至セレクタ１１３によって、送信パラメータに応じたノイズ推定方式が選択されることで、選択されたノイズ推定方式に従ったノイズ推定処理が行われる。
【００８７】
なお、図１０のノイズ推定方式選択処理において、前述したパイロット推定方式の要件及び固定値方式の要件は一例であり、送信パラメータに含まれる各パラメータ又はそれらのパラメータの組み合わせを要件とすることができる。また、その他の方式が選択されるための要件を指定することも可能である。
【００８８】
以上、ノイズ推定方式選択処理について説明した。
【００８９】
［シンボル位置に応じた等化方式の選択方法］
また、図１１に示すように、送信パラメータにより定められるシンボル位置に応じて、等化方式が選択されるようにしてもよい。
【００９０】
具体的には、図１１の例では、１つのT2フレームがN個（1,2,・・・,N）のシンボルから構成される場合、先頭からN-2個目までのシンボルでは、等化方式として補間型方式が選択され、N-1個目とN個目のシンボルでは、等化方式として周波数方向補間型方式が選択されるようにしている。
【００９１】
（シンボル位置に応じた等化処理）
図１２は、第１のパラメータとして「SISO」、第２のパラメータとして「FEF有」、第３のパラメータとして「PP8」、第４のパラメータとして「12シンボル」が指定された場合のシンボル位置に応じた等化処理の例を示している。
【００９２】
図１２においては、横方向は時間、縦方向は周波数を示しており、複数のシンボルが複数集められて形成されるT2フレーム内に、SP信号が離散的に挿入されている。
【００９３】
シンボル位置に応じた等化処理では、送信パラメータにより定められるシンボル位置に応じて、各パイロット信号の間が時間補間され、チャネル推定が行われる（Ｓ２１１）。また、送信パラメータにより定められるシンボル位置に応じて、T2フレームの終端のみ、周波数方向補間型処理が行われる（Ｓ２１２）。
【００９４】
すなわち、図１２の例においては、第３のパラメータとして「PP8」、第４のパラメータとして「12シンボル」が指定されているので、T2フレームのフレーム長が12シンボルとなり、そこにSP信号が「PP8」により定められる配置パターンで挿入されることになる。そして、これらのパラメータにより定められるシンボル位置のうち、1乃至10シンボル位置では、補間型処理が行われ、11，12シンボル位置では周波数方向補間型処理が行われるようにする。
【００９５】
以上のように、シンボル位置に応じた等化処理では、T2フレームの終端のシンボルにSP信号が存在しない場合であっても、送信パラメータにより定められるシンボル位置に応じて、T2フレームの終端部分のみ周波数方向補間型処理が行われ、それ以外の部分は、補間型処理が行われる。これにより、各シンボル位置ごとに適切な等化処理が行われることになる。
【００９６】
なお、図１１及び図１２の例では、復調方式の一例として等化方式について説明したが、それに限らず、ノイズ推定方式その他の復調方式についても同様に、送信パラメータにより定められるシンボル位置に応じて復調方式を選択することが可能である。
【００９７】
以上をまとめると、図１３に示すようになる。すなわち、受信装置１００においては、送信パラメータに含まれる各パラメータ又はそれらのパラメータの組み合わせに応じて、復調方式として、等化方式、ノイズ推定方式その他の復調方式が選択されることになる。
【００９８】
そして、等化方式としては、補間型方式、周波数方向補間型方式その他の等化方式が選択され、ノイズ推定方式としては、パイロット推定方式、固定値方式その他のノイズ推定方式が選択されることになる。
【００９９】
以上のように、受信装置１００においては、送信パラメータのみを用いて復調方式を切り替えることで、適切な復調方式で復調処理を行うことができる。その結果、復調方式を受信状態に応じて判定することに起因する判定遅延や誤判定が生じないため、復調の性能が劣化することを抑制することができる。
【０１００】
また、送信パラメータを用いて復調方式を切り替えることで、複雑な判定器を用いずに適切な復調制御を行うことができる。
【０１０１】
［変形例］
図１４は、等化方式の選択方法の他の例について説明する図である。
【０１０２】
図１４に示すように、等化部１０６においては、パラメータ取得部１１１によって送信パラメータが取得され、パラメータ判定器１１２によって送信パラメータに基づき、複数の等化方式の中から有効な等化方式が判定される。そして、例えば、当該判定において、補間型方式以外の周波数方向補間型方式及びその他の方式が、有効な等化方式であると判定された場合には、周波数方向補間型方式及びその他の方式での等化処理が行われ、その受信状態が、受信状態判定器１２１により判定される。そして、セレクタ１２２によって、受信状態判定器１２１による判定結果に応じて、周波数方向補間型方式又はその他の方式が選択されることになる。
【０１０３】
以上のように、等化部１０６においては、パラメータ判定器１１２による判定結果と、受信状態判定器１２１による判定結果を組み合わせて適切な等化方式を選択することも可能である。この場合には、パラメータ判定器１１２による判定結果に従って等化方式を絞り込んでから、受信状態判定器１２１による判定結果に従って適切な等化方式を選択するので、単に受信状態判定器１２１による判定結果のみを用いる場合と比べて、等化方式の比較数を減らすことができる。これにより、演算規模を削減し、さらに誤判定を低減することが可能となる。
【０１０４】
なお、図１４の例では、復調方式の一例として等化方式について説明したが、それに限らず、ノイズ推定方式その他の復調方式についても同様に、パラメータ判定器１１２による判定結果と、受信状態判定器１２１による判定結果を組み合わせて適切な復調方式を選択することができる。
【０１０５】
［本技術を適用したコンピュータの説明］
前述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１０６】
図１５は、前述した一連の処理をプログラムにより実行するコンピュータのハードウェアの構成例を示すブロック図である。
【０１０７】
コンピュータ２００において、CPU（Central Processing Unit）２０１，ROM（Read Only Memory）２０２，RAM（Random Access Memory）２０３は、バス２０４により相互に接続されている。
【０１０８】
バス２０４には、さらに、入出力インタフェース２０５が接続されている。入出力インタフェース２０５には、入力部２０６、出力部２０７、記録部２０８、通信部２０９、及びドライブ２１０が接続されている。
【０１０９】
入力部２０６は、キーボード、マウス、マイクロフォンなどよりなる。出力部２０７は、ディスプレイ、スピーカなどよりなる。記録部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０１１０】
以上のように構成されるコンピュータ２００では、CPU２０１が、例えば、記録部２０８に記憶されているプログラムを、入出力インタフェース２０５及びバス２０４を介して、RAM２０３にロードして実行することにより、前述した一連の処理が行われる。
【０１１１】
コンピュータ２００（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線又は無線の伝送媒体を介して提供することができる。
【０１１２】
コンピュータ２００では、プログラムは、リムーバブルメディア２１１をドライブ２１０に装着することにより、入出力インタフェース２０５を介して、記録部２０８にインストールすることができる。また、プログラムは、有線又は無線の伝送媒体を介して、通信部２０９で受信し、記録部２０８にインストールすることができる。その他、プログラムは、ROM２０２や記録部２０８に、あらかじめインストールしておくことができる。
【０１１３】
なお、コンピュータ２００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１１４】
ここで、本明細書において、コンピュータ２００に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１１５】
また、プログラムは、１のコンピュータにより処理されるものであってもよいし、複数のコンピュータによって分散処理されるものであってもよい。さらに、プログラムは、遠方のコンピュータに転送されて実行されるものであってもよい。
【０１１６】
なお、本技術の実施の形態は、前述した実施の形態に限定されるものではなく、本技術の要旨を逸脱しない範囲において種々の変更が可能である。
【０１１７】
また、本技術は、以下のような構成をとることができる。
【０１１８】
（１）
OFDM（Orthogonal Frequency Division Multiplexing）信号を受信する受信部と、
前記OFDM信号に含まれる前記OFDM信号に関する送信パラメータを取得する取得部と、
取得した前記送信パラメータに応じて、前記OFDM信号の復調方式を選択する選択部と
を備える受信装置。
（２）
前記送信パラメータには、通信方式がSISO（Single Input Single Output）若しくはMISO（Multiple Input Single Output）であることを示す第１のパラメータ、所定の規格におけるデータを送信する単位である第１のフレームとは異なる構造からなる第２のフレームの有無を示す第２のパラメータ、パイロット信号の配置を示す第３のパラメータ又は前記第１のフレームのフレーム長を示す第４のパラメータが少なくとも含まれており、
前記選択部は、各パラメータ又はそれらのパラメータの組み合わせに応じて、前記復調方式を選択する
（１）に記載の受信装置。
（３）
前記選択部は、前記復調方式として、等化方式を選択する
（１）又は（２）に記載の受信装置。
（４）
前記等化方式は、パイロット信号間を時間補間して推定されるチャネル推定値を周波数方向補間する補間型方式又は周波数方向のみで補間する周波数方向補間型方式であって、
前記選択部は、前記第２のパラメータが前記第２のフレームを有する旨を示している場合、前記周波数方向補間型方式を選択する
（３）に記載の受信装置。
（５）
前記選択部は、前記復調方式として、ノイズ推定方式を選択する
（１）又は（２）に記載の受信装置。
（６）
前記ノイズ推定方式は、パイロット信号を用いるパイロット推定方式又はあらかじめ定められた固定値を用いる固定値方式であって、
前記選択部は、前記第２のパラメータが前記第２のフレームを有する旨を示し、かつ、前記第４のパラメータの示すフレーム長が所定の閾値以下となる場合、前記固定値方式を選択する
（５）に記載の受信装置。
（７）
前記選択部は、前記送信パラメータにより定められるシンボル位置に応じて、前記復調方式を選択する
（１）又は（２）に記載の受信装置。
（８）
前記選択部は、前記復調方式として、等化方式を選択する
（７）に記載の受信装置。
（９）
前記等化方式は、パイロット信号間を時間補間して推定されるチャネル推定値を周波数方向補間する補間型方式又は周波数方向のみで補間する周波数方向補間型方式であって、
前記選択部は、前記第１のフレームの終端以外のシンボル位置では補間型方式を選択し、前記第１のフレームの終端のシンボル位置では周波数方向補間型方式を選択する
（８）に記載の受信装置。
（１０）
前記選択部は、前記復調方式として、ノイズ推定方式を選択する
（７）に記載の受信装置。
（１１）
受信装置の受信方法において、
前記受信装置が、
OFDM信号を受信し、
前記OFDM信号に含まれる前記OFDM信号に関する送信パラメータを取得し、
取得した前記送信パラメータに応じて、前記OFDM信号の復調方式を選択する
ステップを含む受信方法。
（１２）
コンピュータを、
OFDM信号を受信する受信部と、
前記OFDM信号に含まれる前記OFDM信号に関する送信パラメータを取得する取得部と、
取得した前記送信パラメータに応じて、前記OFDM信号の復調方式を選択する選択部と
して機能させるためのプログラム。
【符号の説明】
【０１１９】
１００  受信装置，  １０１  アンテナ，  １０２  チューナ，  １０３  A/D変換部，  １０４  直交復調部，  １０５  FFT演算部，  １０６  等化部，  １０７  デコーダ，  １０８  出力部，  １１１  パラメータ取得部，  １１２  パラメータ判定器，  １１３  セレクタ，  １２１  受信状態判定器，  １２２  セレクタ，  ２００  コンピュータ，  ２０１  CPU
【図１】
0005949169.tif 000002
【図２】
0005949169.tif 000003
【図３】
0005949169.tif 000004
【図４】
0005949169.tif 000005
【図５】
0005949169.tif 000006
【図６】
0005949169.tif 000007
【図７】
0005949169.tif 000008
【図８】
0005949169.tif 000009
【図９】
0005949169.tif 000010
【図１０】
0005949169.tif 000011
【図１１】
0005949169.tif 000012
【図１２】
0005949169.tif 000013
【図１３】
0005949169.tif 000014
【図１４】
0005949169.tif 000015
【図１５】
0005949169.tif 000016